(57)【要約】【課題】  携帯クーラーボックスに簡単に接続して該ボックス内を冷却することができ、又携行して使用する場合には簡単に冷却機を分離して携帯クーラーボックスのみを使用できることにある。【解決手段】  携帯クーラーボックス１のホース装着具１２に着脱自在に接続される先端側を備えた循環ホース３を二重構造としその内部側に冷気供給通路３１を設けその外周側に放冷気回収通路３２を設け、冷却機２に冷気室２２と環流室２３とを設け、冷気室２２と環流室２３の連通箇所に冷却機構２１のラジエータ２１ａを配置し、冷気供給通路３１の基端を冷気室２２に連結し、冷気供給通路内に冷気を送り込む送風ファン２４を設け、放冷気回収通路３２の基端を環流室２３に連結した。【選択図】        図３
2006010183.tif 000002
【特許請求の範囲】
【請求項１】
携帯クーラーボックスのホース接続孔に装着されたホース装着具に着脱自在に接続される先端側を備えた循環ホースを設け、該循環ホースを二重構造としその内部側に携帯クーラーボックス内部に冷気を送り込む通路となる冷気供給通路を設けその外周側に携帯クーラーボックス内部を冷却した後の放冷気を回収する通路なる放冷気回収通路を設け、冷却機構を備えた冷却機に携帯クーラーボックス内部に冷気を送り込む冷気室と携帯クーラーボックス内部を冷却した後の放冷気を循環回収する環流室とを設け、冷気室と環流室とを連通状態にすると共に連通箇所に冷却機構のラジエータを配置し、循環ホースの冷気供給通路の基端を冷気室に連結し、冷気供給通路内に冷気室内の冷気を送り込む送風ファンを設け、循環ホースの放冷気回収通路の基端を環流室に連結したことを特徴とする携帯クーラーボックス用着脱式冷却機。
【請求項２】
環流室内には放冷気の温度を感知して冷却機構の運転を制御する温度センサーが設けられている請求項１記載の携帯クーラーボックス用着脱式冷却機。
【発明の詳細な説明】
【技術分野】
【０００１】
この発明は、携帯クーラーボックスに簡単に接続して該ボックス内を冷却することができ、又携行して使用する場合には簡単に冷却機を分離して携帯クーラーボックスのみを使用できる携帯クーラーボックス用着脱式冷却機に関するものである。
【背景技術】
【０００２】
従来、携帯クーラーボックスの内部を冷やす場合には、氷又は保冷剤を入れて冷却している。このため、氷又は保冷剤を準備する必要がある。また、一部には携帯クーラーボックスに冷却機が一体的に付加されたものも創案されている。
【特許文献１】特開平０２−２４２０６１
【特許文献２】特開平０８−２８５８３９
【特許文献３】特開２０００−７０５６
【特許文献４】実願２００３−１８６４
【発明の開示】
【発明が解決しようとする課題】
【０００３】
しかしながら、携帯クーラーボックスに氷又は保冷剤を入れて冷却する場合には、氷又は保冷剤を準備する必要があり、また、魚釣りに携帯クーラーボックスを携行する場合にあっては氷は大きな塊のものを使用するが、家庭の冷蔵庫では作れず、氷屋などから購入することになるが、釣りに行きたい場合に何時でも簡単に入手するのも容易でない。
また、携帯クーラーボックスに冷却機が付加されている場合には携帯クーラーボックス自体が重くなり、又携帯クーラーボックスに付加されている冷却機は小型であり冷却能力も低く十分に冷却できない。
また、魚釣りに携帯クーラーボックスを携行した場合、潮風によって冷却機の耐久性が著しく劣化するという問題もある。
【０００４】
この発明は、上記のような課題に鑑み、その課題を解決すべく創案されたものであって、その目的とするところは、携帯クーラーボックスに簡単に接続して該ボックス内を冷却することができ、又携行して使用する場合には簡単に冷却機を分離して携帯クーラーボックスのみを使用することのできる携帯クーラーボックス用着脱式冷却機を提供することにある。
【課題を解決するための手段】
【０００５】
以上の目的を達成するために、この発明は、携帯クーラーボックスのホース接続孔に装着されたホース装着具に着脱自在に接続される先端側を備えた循環ホースを設け、該循環ホースを二重構造としその内部側に携帯クーラーボックス内部に冷気を送り込む通路となる冷気供給通路を設けその外周側に携帯クーラーボックス内部を冷却した後の放冷気を回収する通路なる放冷気回収通路を設け、冷却機構を備えた冷却機に携帯クーラーボックス内部に冷気を送り込む冷気室と携帯クーラーボックス内部を冷却した後の放冷気を循環回収する環流室とを設け、冷気室と環流室とを連通状態にすると共に連通箇所に冷却機構のラジエータを配置し、循環ホースの冷気供給通路の基端を冷気室に連結し、冷気供給通路内に冷気室内の冷気を送り込む送風ファンを設け、循環ホースの放冷気回収通路の基端を環流室に連結した手段よりなるものである。
ここで、環流室内には放冷気の温度を感知して冷却機構の運転を制御する温度センサーが設けられているのが好ましい。
【発明の効果】
【０００６】
以上の記載より明らかなように、この発明に係る携帯クーラーボックス用着脱式冷却機によれば、次のような極めて新規的有益なる効果を奏するものである。
（１）冷却機に連結された循環ホースの先端側を携帯クーラーボックスに接続するのみで、携帯クーラーボックスを在宅時は冷蔵庫又は冷凍庫として利用することができる。
（２）市販の携帯クーラーボックス或いは手持ちの携帯クーラーボックスにホース接続孔をあけ、ホース接続孔にホース装着具を取り付けるのみで、冷却機に連結された循環ホースの先端側を簡単に着脱することができる。
（３）携帯クーラーボックス内部を冷却する冷気を冷却機との間で循環させて再冷却して使用するため、効率良く携帯クーラーボックス内部を冷却することができる。
（４）循環ホースは二重構造で内部側に冷気供給通路が設けられているため、携帯クーラーボックス内に供給される冷気が通路を流れている間に暖められるのを回避することができる。
（５）外出携行する場合、循環ホースを接続するのみで事前に携帯クーラーボックスを使って製氷することもでき、氷、保冷剤などの準備をする必要がない。
（６）従来の携帯クーラーボックスにあっては、携帯クーラーボックスを魚釣りに使用した場合に、釣りから帰った後、釣った魚を入れた携帯クーラーボックス内の魚の鮮度を保つためには氷或いは保冷剤の補充が欠かせないが、本案では帰宅後は循環ホースを接続して冷却機を駆動させるのみで携帯クーラーボックス内の温度を一定に保つことができ、氷或いは保冷剤の補充を不要にすることができる。
（７）従来の携帯クーラーボックスにあっては、氷が溶けることで入れていた釣った魚が水浸しとなり魚が傷み、それを防ぐためには常時水抜きに気を付ける必要があったが、本案では帰宅後は循環ホースを接続して冷却機を駆動させるのみで携帯クーラーボックス内の温度を一定に保つことができ、水抜きを一切不要にすることができる。
（８）冷却機に設けた環流室内に温度センサーを設けた場合、循環ホースは二重構造でその内部側が冷気供給通路、その外周側が放冷気回収通路であるため、或る程度時間経過後においては、放冷気回収通路内を流れる放冷気は冷気供給通路を流れる冷気によって暖められるのが防がれて、携帯クーラーボックス内の温度に近い状態で環流室内に回収されるため、温度センサーを通じて携帯クーラーボックス内の温度のコントロールが容易となる。
【発明を実施するための最良の形態】
【０００７】
以下、図面に記載の発明を実施するための最良の形態に基づいて、この発明をより具体的に説明する。
ここで、図１は冷却機の循環ホースを携帯クーラーボックスに接続時の概略斜視図、図２（Ａ）は携帯クーラーボックスのホース装着具側の部分拡大図、図２（Ｂ）は携帯クーラーボックスのホース装着具の部品の分解斜視図、図３は冷却機側の概略断面図である。
【０００８】
図において、携帯クーラーボックス１は例えば魚釣り、ハイキングなどにおいて冷やしたいものを入れて使用され、内部には冷却用の氷又は保冷剤が入れられる。携帯クーラーボックス１は、非携帯時には分離された冷却機２に連結された循環ホース３を接続することにより内部が冷却され、魚釣りなど本来の携帯用として使用する場合には循環ホース３は外されて使用される。この携帯クーラーボックス１は例えば市販の携帯用のクーラーボックスにホース接続孔１１を開けて、このホース接続孔１１にホース装着具１２を装着するのみで使用可能となる。
【０００９】
携帯クーラーボックス１には冷却機２の循環ホース３を接続するためのホース接続孔１１が該ボックス１の上部側面或いは蓋中央部分に形成されている。ホース接続孔１１には循環ホース３の先端側が簡単に螺合して接続できるように、ホース装着具１２が取り付けられている。
【００１０】
ホース装着具１２は、携帯クーラーボックス１の内部側からホース接続孔１１に装着される鍔付き内部固定筒１２ａ、該ボックス１の外部側からホース接続孔１１に装着される中間鍔付き外部接続筒１２ｂ、鍔付き内部固定筒１２ａの鍔とホース接続孔１１の内部側の開口周縁との間に取り付けられる気密用のリング状シール１２ｃ、中間鍔付き外部接続筒１２ｂの鍔とホース接続孔１１の外部側の開口周縁との間に取り付けられる気密用のリング状シール１２ｄ、中間鍔付き外部接続筒１２ｂの循環ホースとの接続側の筒周縁端に装着される気密用のリング状シール１２ｅから構成されている。
【００１１】
鍔付き内部固定筒１２ａは円筒形の一端に円形リング状の鍔が形成され、又円筒形の内周側面には中間鍔付き外部接続筒１２ｂの外周側面のネジ山と螺合するネジ山が刻設されている。鍔付き内部固定筒１２ａは円筒形の中間部分に円形リング状の鍔が形成され、鍔を挟んでその両側の円筒形の外周側面にはネジ山が刻設されている。
【００１２】
中間鍔付き外部接続筒１２ｂは、ホース接続孔１１の内部に挿入される側が前記したように鍔付き内部固定筒１２ａと螺合され、外部に突出する側の外周側面が後述の循環ホース３の先端のボックス装着具３３の嵌合リング３３ｂの内周側面と螺合される。
【００１３】
栓１３は、携帯クーラーボックス１を携帯して使用する場合にホース装着具１２に螺合してホース接続孔１１を閉じてボックス１内の冷気が逃げるの防ぐものである。栓１３は循環ホース３の先端側が螺合接続される箇所に螺合して嵌合される。このため、栓１３の内周側面には中間鍔付き外部接続筒１２ｂの外部側の外周側面のネジ山と螺合するネジ山が刻設されている。
【００１４】
冷却機２は携帯クーラーボックス１の内部を冷却する冷気を造り出す装置で、携帯クーラーボックス１とは分離された別体のものからなり、循環ホース３を通じて造り出した冷気を携帯クーラーボックス１に供給するようになっている。冷却機２は自宅などに置かれる。
【００１５】
冷却機２の本体内部には、コンプレッサー、凝縮器、ラジエータ２１ａ、冷媒循環路などからなる冷却機構２１が設置されている。また冷却機２の本体内部には、ラジエータ２１ａで造り出された冷気を送り出すための冷気室２２、携帯クーラーボックス１内部を冷却した放冷気が循環して戻る環流室２３などが設けられている。
【００１６】
冷気室２２と環流室２３とは連通しており、環流室２３に戻った放冷気は冷気室２２に流入するようになっており、冷気室２２と環流室２３とが連通する境界部分には冷却機構２１のラジエータ２１ａが配置されていて、環流室２３から冷気室２２に流入する放冷気はラジエータ２１ａを通過中にこのラジエータ２１ａにより冷却されて再び冷気になって冷気室２２に流入する。
【００１７】
図面では環流室２３の内部に冷気室２２が設けられている。環流室２３には循環ホース３の基端が連結される連結孔２３ａが形成されている。又環流室２３の内部の冷気室２２には循環ホース３の内部に配設された冷気供給通路３１の基端が連結される連結孔２２ａが形成されている。連結孔２３ａは連結孔２２ａの延長線状に位置している。
【００１８】
循環ホース３の内部の冷気供給通路３１の基端が連結される連結孔２２ａには送風ファン２４が取り付けられている。送風ファン２４は冷気室２２内の冷気を冷気供給通路３１を通じて携帯クーラーボックス１内に強制的に送り込むファンである。送風ファン２４は図示しない駆動軸を介して冷却機構２１のコンプレッサーのモーターに連動連結されていて、コンプレッサーが駆動すると送風ファン２４も駆動する構造になっているが、別途のモーターで駆動される構造でもよい。
【００１９】
循環ホース３は、冷却機２で造り出された冷気を携帯クーラーボックス１に供給する通路であり、又該ボックス１内を冷却した後の放冷気を冷却機２に戻すための通路である。循環ホース３は基端側が冷却機２に連結され、先端側が携帯クーラーボックス１のホース装着具１２に着脱自在に接続される。
【００２０】
循環ホース３は二重構造になっており、二重構造の内部側には携帯クーラーボックス１に供給される冷気の通路となる冷気供給通路３１が設けられ、冷気供給通路３１の外周側には携帯クーラーボックス１内を冷却した後の放冷気を回収する通路となる放冷気回収通路３２が設けられている。二重構造の循環ホース３の内部側の冷気供給通路３１の基端側は冷却機２の冷気室２２の連結孔２２ａに連結されている。また、二重構造の循環ホース３の外部側の放冷気回収通路３２の基端側は環流室２３の連結孔２３ａに連結されている。
【００２１】
放冷気回収通路３２の外周側面となる循環ホース３の外周側面は断熱材で形成されている。このため、放冷気回収通路３２を流下する放冷気は外部に冷気が放冷されて暖まるのが防がれて環流室２３内に環流される。また放冷気回収通路３２を流下する放冷気はその内部側の冷気供給通路３１を流れる冷気によって少し冷やされて環流室２３に環流されるため、環流室２３から冷気室２２に再流入する放冷気はラジエータ２１ａで十分に冷やされて冷気室２２に流入することになり、携帯クーラーボックス１内は効率良く冷却されることになる。
【００２２】
二重構造の循環ホース３の内部側の冷気供給通路３１の先端側は、循環ホース３の先端側より外部に突出している。つまり、循環ホース３の先端側を携帯クーラーボックス１のホース装着具１２に螺合接続した場合に、冷気供給通路３１の先端側はホース装着具１２の内部を貫通して携帯クーラーボックス１の内部に一部挿入できる程度に突出している。
【００２３】
二重構造の循環ホース３の外周側の先端側には携帯クーラーボックス１に装着されたホース装着具１２に螺合接続するボックス装着具３３が装着されている。ボックス装着具３３は、二重構造の循環ホース３の外周側の先端側の内部に一部挿入して装着される鍔付き固定筒３３ａと、鍔付き固定筒３３ａの外周側に嵌合される嵌合リング３３ｂとから構成される。
【００２４】
鍔付き固定筒３３ａは先端の外周にリング状の鍔が形成されており、又リング状の鍔の外径より内径が大きい嵌合リング３３ｂが鍔付き固定筒３３ａのリング状の鍔の外周側に嵌合した状態で取り付けられている。嵌合リング３３ｂは一端側が開口された円筒形で他端は中央に鍔付き固定筒３３ａが挿入された円形孔が蓋状になっていている。嵌合リング３３ｂの円筒形の内周側面には前記ホース装着具１２の外部に突出する中間鍔付き外部接続筒１２ｂの外周側面と螺合するネジ山が刻設されている。
【００２５】
冷却機２の環流室２３には温度センサー４が取り付けられている。温度センサー４は、携帯クーラーボックス１内を冷却して回収された放冷気の温度を感知して冷却機構２１の運転を制御し、携帯クーラーボックス１内の温度が所望の温度になるようにコントロールする。
【００２６】
次に、上記発明を実施するための最良の形態の構成に基づく使用方法について以下説明する。
市販されている携帯クーラーボックス１を購入し、携帯クーラーボックス１の上部側面或いは蓋中央部分にホース接続孔１１を開ける。開けたホース接続孔１１にホース装着具１２を装着する。
【００２７】
ホース装着具１２を構成する鍔付き内部固定筒１２ａを携帯クーラーボックス１の内部側からホース接続孔１１に挿入する。このとき、ホース接続孔１１の内部側の孔周縁と鍔との間にリング状シール１２ｃを入れて冷気がこの隙間から漏れないようにする。同様にホース装着具１２を構成する中間鍔付き外部接続筒１２ｂを携帯クーラーボックス１の外部側からホース接続孔１１に挿入する。このとき、ホース接続孔１１の外部側の孔周縁と中間鍔との間にリング状シール１２ｄを入れて冷気がこの隙間から漏れないようにする。
【００２８】
携帯クーラーボックス１の内部側から挿入した鍔付き内部固定筒１２ａと外部側から挿入した中間鍔付き外部接続筒１２ｂとを螺合しながら締め付けることにより、携帯クーラーボックス１のホース接続孔１１にホース装着具１２を簡単に装着することができる。
【００２９】
ホース装着具１２が装着された携帯クーラーボックス１の内部を冷却する場合には、分離された別体の冷却機２に基端側が連結された循環ホース３の先端側をホース装着具１２に接続する。ホース装着具１２への接続は、循環ホース３の先端から突出する内部側の冷気供給通路３１の先端側をホース装着具１２の内部に挿入して貫通させ、循環ホース３の外周側の先端側に装着されたボックス装着具３３の嵌合リング３３ｂを中間鍔付き外部接続筒１２ｂの外部側に螺合し締め付けて嵌合する。この操作は簡単に行われる。
【００３０】
冷却機２の冷却機構２１のコンプレッサーを駆動すると、冷媒が循環し始めてラジエータ２１ａは冷やされ、ラジエータ２１ａの周囲の空気を冷やして冷気が造り出される。コンプレッサーが駆動すると、これに連動して送風ファン２４も駆動する。送風ファン２４は冷気室２２内の冷気を循環ホース３の冷気供給通路３１内に強制的に送り込む。冷気供給通路３１内に送り込まれた冷気は冷気供給通路３１内を圧送されて冷気供給通路３１の先端から携帯クーラーボックス１内に流入して該ボックス１内を冷却する。冷却して冷気を放出した放冷気は循環ホース３の放冷気回収通路３２の先端から吸引され、放冷気回収通路３２内を流れてその基端から環流室２３内に吸引される。
【００３１】
送風ファン２４により冷気室２２内の冷気が冷気供給通路３１内に送り込まれることにより、冷気室２２内の気圧は低くなる。冷気室２２の気圧が低くなると、冷気室２２とラジエータ２１ａを介して連通する環流室２３内の放冷気は冷気室２２内に吸引される。この途中のラジエータ２１ａを通過中に放冷気はラジエータ２１ａによって冷却されて再び冷気に戻って冷気室２２内に吸引される。環流室２３内の放冷気が冷気室２２内に吸引されることにより、環流室２３内の気圧も低くなり、冷気が圧送供給されて気圧が高くなった携帯クーラーボックス１の内部から環流室２３に向かって吸引力が生じることになって、携帯クーラーボックス１の内部と冷却機２との間で冷気が循環供給されることになる。
【００３２】
このようにして、携帯クーラーボックス１は別途に分離された冷却機２を使用してその内部が冷却されることになる。携帯クーラーボックス１は在宅時には冷却機２の循環ホース３を接続することで、冷蔵庫や冷凍庫として使用することが可能となる。
【００３３】
また、この携帯クーラーボックス１を本来の携帯用のクーラーボックスとして使用する場合に、内部を冷却する氷の塊を入れたいときには、従来にあっては氷の塊を購入していたが、携帯クーラーボックス１内に水を入れ、冷却機２を使用して携帯クーラーボックス１の内部を冷却させることによって氷の塊を簡単に造ることも可能となる。同様に、冷えていない保冷剤を携帯クーラーボックス１内に入れて冷却機２により冷却することで簡単に冷えた保冷剤を造ることが可能となる。
【００３４】
なお、この発明は上記発明を実施するための最良の形態に限定されるものではなく、この発明の精神を逸脱しない範囲で種々の改変をなし得ることは勿論である。
【図面の簡単な説明】
【００３５】
【図１】この発明を実施するための最良の形態を示す冷却機の循環ホースを携帯クーラーボックスに接続時の概略斜視図である。
【図２】（Ａ）はこの発明を実施するための最良の形態を示す携帯クーラーボックスのホース装着具側の部分拡大図である。  （Ｂ）はこの発明を実施するための最良の形態を示す携帯クーラーボックスのホース装着具の部品の分解斜視図である。
【図３】この発明を実施するための最良の形態を示す冷却機側の概略断面図である。
【符号の説明】
【００３６】
１    携帯クーラーボックス
１１    ホース接続孔
１２    ホース装着具
１２ａ  鍔付き内部固定筒
１２ｂ  中間鍔付き外部接続筒
１２ｃ  リング状シール
１２ｄ  リング状シール
１２ｅ  リング状シール
１３    栓
２    冷却機
２１    冷却機構
２１ａ  ラジエータ
２２    冷気室
２２ａ  連結孔
２３    環流室
２３ａ  連結孔
２４    送風ファン
３    循環ホース
３１    冷気供給通路
３２    放冷気回収通路
３３    ボックス装着具
３３ａ  鍔付き固定筒
３３ｂ  嵌合リング
４    温度センサー
【図１】
2006010183.tif 000003
【図２】
2006010183.tif 000004
【図３】
2006010183.tif 000005